(57)【要約】【課題】半身浴時に自然な姿勢で入浴することが可能で、リラックスした入浴感が得られる半身浴ステップ付き浴槽を提供する。【解決手段】内槽部１とこの内槽部１の外周に設けられたリム２とを備え、内槽部１の最底面である内槽最底面１ａとこの内槽最底面１ａよりリム２との距離が小さい略平坦部である半身浴ステップ４とを内槽部１内に有し、内槽部１の半身浴ステップ４側の内周に、リム２より半身浴ステップ４との距離が小さくなるように設けられた段差状の平坦面を有するアームレスト６を備えたことを特徴とする浴槽１０。【選択図】  図１
2006130135.tif 000002
【特許請求の範囲】
【請求項１】
浴室または浴室ユニットに設置される浴槽であって、この浴槽が内槽部とこの内槽部の外周に設けられたリムとを備え、前記内槽部の最底面である内槽最底面とこの内槽最底面より前記リムとの距離が小さい略平坦部である半身浴ステップとを前記内槽部内に有し、前記内槽部の前記半身浴ステップを設けた側の内周に、前記リムより前記半身浴ステップとの距離が小さくなるように設けられた段差状の平坦面を有するアームレストを備えたことを特徴とする浴槽。
【請求項２】
前記半身浴ステップから前記アームレストまでの距離を２６０ｍｍ〜３００ｍｍの範囲としたことを特徴とする請求項１記載の浴槽。
【請求項３】
前記内槽部の内槽最底面側と前記半身浴ステップ側にそれぞれ固定される端部と、これら端部と端部との間に位置するグリップ部とを備えたハンドグリップを、半身浴時に前記アームレストに肘を置いた姿勢で把持可能なように前記内槽部に固定したことを特徴とする請求項１記載の浴槽。
【請求項４】
前記ハンドグリップの前記半身浴ステップ側の端部と前記アームレストとが略同等高さとなるように前記ハンドグリップを前記内槽部に固定したことを特徴とする請求項３記載の浴槽。
【発明の詳細な説明】
【技術分野】
【０００１】
本発明は、入浴者の目的により様々な入浴形態を選択可能な浴槽に係り、特に半身浴時によりリラックスすることが可能な半身浴ステップ付きの浴槽に関する。
【背景技術】
【０００２】
浴室や浴室ユニットに設置される浴槽は、従来、平面規矩形のものがほとんどであった。しかし近年、複数人数での入浴や、また半身浴や足浴等のリラックス浴のような入浴形態の多様化に伴い、浴槽の形状に変化を持たせたものや、半身浴に利用される半身浴ステップ付きの浴槽が提供されるようになっている。
【０００３】
従来の浴槽の例としては、視覚的に広く感じられる構成とした浴槽がある（例えば、特許文献１参照）。
【０００４】
また、ステップ付きの浴槽については、例えば、浴槽を平面規略三角形状として、浴槽の内槽部に段階を設けた浴槽がある（例えば、特許文献２参照）。
【特許文献１】特開２００１−１７３３５号公報
【特許文献２】特開２００３−２３０４９４号公報
【発明の開示】
【発明が解決しようとする課題】
【０００５】
従来の半身浴ステップ付き浴槽で半身浴する場合、半身浴ステップに腰掛けた姿勢で、浴槽の外縁であるリムに肘を掛けて入浴する姿勢が主であった。
【０００６】
しかしながら、従来の半身浴ステップ付き浴槽の場合、半身浴ステップ面からリムまでの高さが３２０ｍｍ〜３３０ｍｍ程度であり、この高さのリム上に肘を乗せて半身浴すると、肘の位置が高すぎるために落ち着かないという問題があった。
【０００７】
また例えば、半身浴時に本を読むリラックス浴をする場合に、従来の半身浴ステップ付きの浴槽は、半身浴ステップ側に肘を置くためのスペースが設けられていないために疲れやすく、快適な長時間入浴が難しいという点も指摘されていた。
【０００８】
一方、半身浴ステップ付きの浴槽の場合、半身浴時にバス水栓金具のスパウトが背中に当たらないように、身体の横になる側のリム面上に設けることが一般的である。そのため、半身浴の姿勢の肘周りにバス水栓金具のスパウトやハンドルが設置される構成になるため、肘を置く場所がなく、また、不用意に肘を置くと腕がスパウトに触れて不快な思いをすることがあった。
【０００９】
このように、半身浴ステップ付き浴槽は、半身浴によってよりリラックスする入浴を提供することが目的であるものの、上述のような構造上の制約により、落ち着いて入浴することが妨げられるケースが多かった。
【００１０】
本発明は、上述したような事情を考慮してなされたものであり、半身浴時に自然な姿勢で入浴することが可能で、リラックスした入浴感が得られる半身浴ステップ付き浴槽を提供することを目的とする。
【課題を解決するための手段】
【００１１】
本発明の浴槽は、上述した課題を解決するために、浴室または浴室ユニットに設置される浴槽であって、この浴槽が内槽部とこの内槽部の外周に設けられたリムとを備え、前記内槽部の最底面である内槽最底面とこの内槽最底面より前記リムとの距離が小さい略平坦部である半身浴ステップとを前記内槽部内に有し、前記内槽部の前記半身浴ステップを設けた側の内周に、前記リムより前記半身浴ステップとの距離が小さくなるように設けられた段差状の平坦面を有するアームレストを備えたことを特徴とするものである。
【００１２】
また、本発明の浴槽は、上述した課題を解決するために、前記半身浴ステップから前記アームレストまでの距離を２６０ｍｍ〜３００ｍｍの範囲としたことを特徴とするものである。
【００１３】
さらに、本発明の浴槽は、上述した課題を解決するために、前記内槽部の内槽最底面側と前記半身浴ステップ側にそれぞれ固定される端部と、これら端部と端部との間に位置するグリップ部とを備えたハンドグリップを、半身浴時に前記アームレストに肘を置いた姿勢で把持可能なように前記内槽部に固定したことを特徴とするものである。
【００１４】
また、本発明の浴槽は、上述した課題を解決するために、前記ハンドグリップの前記半身浴ステップ側の端部と前記アームレストとが略同等高さとなるように前記ハンドグリップを前記内槽部に固定したことを特徴とするものである。
【発明の効果】
【００１５】
本発明の浴槽によれば、浴槽の半身浴ステップ側にリムより低い、すなわち、半身浴ステップとの距離が小さい段差状の平坦面を有するアームレストを内槽部の内周に設けたので、入浴者が半身浴時にアームレストに肘を置くことにより、自然な姿勢で入浴することが可能である。従って、従来の浴槽に比較して半身浴時の姿勢が安定するため、よりリラックスした快適な半身浴を実現することが可能である。
【００１６】
また、本発明の浴槽によれば、入浴時に肘をアームレストに置く姿勢の他、浴槽のリムに置く姿勢や、内槽部に入れる姿勢等、様々な入浴姿勢をとることが可能である。従って、入浴者の選択により、入浴姿勢を変化させることが可能で、長時間の入浴にも疲れにくい。
【００１７】
一方、内槽部に接続される２つの端部とこれら端部と端部との間のグリップ部とから構成さるハンドグリップを、２つの端部が内槽部の半身浴ステップ側と内槽最底面側にてそれぞれ固定されるように設けた浴槽は、ハンドグリップを半身浴時に把持可能であるので、さらに半身浴時の入浴者の姿勢を安定させることが可能であり、腰の滑り込み等を防止するので、入浴の安全性を効果的に向上させる。
【００１８】
さらに、このハンドグリップの半身浴ステップ側の端部をアームレストと略同等高さに設けた浴槽は、半身浴時にアームレストに肘を置いた姿勢で自然にハンドグリップに手を添えることができるため、ゆったりとした姿勢で半身浴することが可能となる。
【発明を実施するための最良の形態】
【００１９】
本発明の浴槽の好ましい実施例について、図面を参照して以下に詳細に説明する。
【実施例１】
【００２０】
図１に実施例１の浴槽の斜視図を示す。また、図２に、図１に示す浴槽１０のＩＩ−ＩＩ線に沿う断面図を示す。さらに、図３に、図１に示す浴槽１０のＩＩＩ−ＩＩＩ線に沿う断面の斜視図を示す。図１、図２および図３を用いて、実施例１の浴槽の構成について説明する。
【００２１】
浴槽１０は、内槽部１の外周にリム２が設けられて構成され、浴槽１０を浴室に設置する際の洗い場方向にバスエプロン３が設けられる。内槽部１の内槽最底部１ａは、リム２の表面との距離（深さ）が５００ｍｍ程度であり、この内槽最底部１ａから約１７０ｍｍ〜１８０ｍｍリム２寄りの距離に幅約４８０ｍｍ×３００ｍｍの略平坦部である半身浴ステップ４が設けられる。浴槽１０に入浴者が半身浴する場合には、半身浴ステップ４に腰掛けて入浴する。以下、内槽部１において半身浴ステップ４を設けた方向を半身浴ステップ４側と称し、内槽最底面１ａが位置する方向を内槽最底面１ａ側と称する。
【００２２】
また、半身浴ステップ４は、全身浴時の足置きとしても利用される。浴槽１０の半身浴ステップ４と対向する側、すなわち、内槽最底面１ａ側のリム２には、ヘッドレスト５が設けられ、全身浴時にもリラックスした姿勢での入浴が可能である。
【００２３】
アームレスト６は、リム２から一段低い、すなわち、半身浴ステップ４との距離が小さい段差状の平坦面を有し、内槽部１の半身浴ステップ側の内周に設けられる。入浴者は、半身浴時に、自然な高さに設定されたアームレスト６に肘を置くことにより、安定した姿勢で入浴することができる。本発明者らの実施によれば、アームレスト６の高さは、半身浴ステップ４からの高さ（距離）が２６０ｍｍ〜３００ｍｍの範囲となるように設けることが好ましい。この範囲の高さに設けられたアームレスト６は、入浴者が半身浴ステップ４に着座してアームレスト６に肘を置く姿勢をとるときに、肘の高さが自然であり、安定した入浴姿勢をとることができるので、長時間の入浴でも疲れにくく、リラックスできる快適な入浴が実現する。また、アームレスト６の幅は、５０ｍｍ〜７０ｍｍとすることが好ましい。
【００２４】
また、入浴時の姿勢として、アームレスト６に肘を置く姿勢以外にも、例えば、浴槽のリム２に肘を置いたり、内槽部１内に入れる姿勢も可能であり、入浴姿勢のバリエーションが増えるため、長時間の入浴時にも疲れにくい。
【００２５】
一方、内槽部１の内槽最底面１ａ側には、肘置き部７が設けられており、主に全身浴時の肘置きとして利用される。この浴槽１０の場合、アームレスト６と肘置き部７とは、連続する滑らかな曲面にて一体的に構成される。なお、本発明の浴槽において、内槽最底面１ａ側の肘置き部７は、必ずしも設けなくても良い。
【００２６】
また、この浴槽１０は、バス水栓金具８のスパウトが、半身浴時に背中に直接当たらないように内槽部１の側壁に配置されているが、アームレスト６を設けたことにより腕の位置をガイドできるため、腕がバス水栓金具８のスパウトに不意に直接触れることによる不快感を防止できる。
【実施例２】
【００２７】
図４に実施例２の浴槽２０の斜視図を示す。また、図５に、図４に示す浴槽２０のＶ−Ｖ線に沿う断面図を示す。図４および図５を用いて、実施例２の浴槽の構成について説明する。
【００２８】
この図４および図５に示すように、実施例２の浴槽２０は、アームレスト６の前方に把持可能なハンドグリップ１１を設ける構成としたものである。なお、浴槽２０において、浴槽１０と同様の構成については、同一の符号を付して説明を省略する。
【００２９】
ハンドグリップ１１は、端部１３と端部１４とこれら端部の間のグリップ部１５とから構成され、端部１３が内槽部１の半身浴ステップ４側にてアームレスト６に固定され、端部１４が内槽部１の内槽最底面１ａ側にて肘置き部７に固定される。
【００３０】
ハンドグリップ１１の形状は、半身浴時に入浴者が把持可能な構成を有するものであれば、どのような形状のものでも良く、その形状および構成は、特に限定されないが、例えば、図４および図５に示すハンドグリップ１１のように、ハンドグリップ１１の半身浴ステップ４側の端部１３とアームレスト６とが略同等高さとするとともに、端部１３がアームレスト６の表面とほぼ連続した滑らかな曲面となるように設けることも可能である。このように、浴槽２０にアームレスト６とハンドグリップ１１の半身浴ステップ４側の端部１３をほぼ同一高さとして滑らかな曲面を形成するように配置することにより、アームレスト６に肘を置いた姿勢で、手先で自然にハンドグリップ１１を握ることが可能であり、さらにリラックスした姿勢での入浴が可能である。
【００３１】
なお、ここで前方とは、入浴者が半身浴ステップ４に着座して入浴した場合の、入浴者にとっての前方を示すものである。
【００３２】
また、実施例２の浴槽２０は、内槽最底面１ａ側に肘置き部７を設ける構成としたが、本発明の浴槽において内槽最底面側の肘置き部は、必ずしも必要としない。肘置き部を設けない浴槽に対するハンドグリップの取り付けは、内槽部の側壁への取り付けによりハンドグリップを内槽部に固定する。
【００３３】
このように、内槽部１の半身浴ステップ４側に設けたアームレスト６に肘を置いた姿勢でハンドグリップ１１を把持可能に設けた浴槽２０は、半身浴時の入浴者の姿勢を効果的に安定させるだけでなく、半身浴からの立ち座りが自然にできるので安心して入浴できる。また、浴槽２０への出入りに際してもハンドグリップ１１を握ることができるので、姿勢が安定し、よりスムーズで安全な出入りを可能とする。
【００３４】
また、ハンドグリップ１１を握ることにより、姿勢を安定させることができるため、半身浴時における腰の滑り込み等を防止するので、安心して入浴することが可能である。
【００３５】
一方、入浴者が全身浴する場合、内槽部１の内槽最底面１ａに着座して入浴するが、この場合、半身浴ステップ４を足置きとして使用することができる。この際、肘置き部７に肘を置いてハンドグリップ１１を把持することによって、全身浴時の姿勢が安定する。従って、よりリラックスした入浴感を得ることが可能である。
【図面の簡単な説明】
【００３６】
【図１】実施例１の浴槽の斜視図。
【図２】図１に示す浴槽のＩＩ−ＩＩ線に沿う断面図。
【図３】図１に示す浴槽のＩＩＩ−ＩＩＩ線に沿う断面の斜視図。
【図４】実施例２の浴槽の斜視図。
【図５】図４に示す浴槽のＶ−Ｖ線に沿う断面図。
【符号の説明】
【００３７】
１  内槽部
１ａ  内槽最底面
２  リム
３  バスエプロン
４  半身浴ステップ
５  ヘッドレスト
６  アームレスト
７  肘置き部
８  バス水栓金具
１０  浴槽
１１  ハンドグリップ
２０  浴槽
【図１】
2006130135.tif 000003
【図２】
2006130135.tif 000004
【図３】
2006130135.tif 000005
【図４】
2006130135.tif 000006
【図５】
2006130135.tif 000007